(57)【要約】【課題】光ファイバの接続状態を維持したまま光コネクタを簡単に把持することができるコネクタ把持治具を提供する。【解決手段】コネクタ把持治具１０は、ばね付勢力に抗して支軸１３を中心に回動可能な操作部１１と、支軸１３を介して操作部１１の先端部に、光コネクタ１を把持するコネクタ把持部１７，１８を有するとともに、操作部１１と連動して支軸１３を中心に回動するクランプ部１６と、を備えている。【選択図】図１
2011064955.tif 000002
【特許請求の範囲】
【請求項１】
光ファイバを接続している光コネクタを、前記光ファイバの接続状態を維持したまま把持するコネクタ把持治具であって、
ばね付勢力に抗して支軸を中心に回動可能な操作部と、
前記支軸を介して該操作部の先端部に、前記光コネクタを把持するコネクタ把持部を有するとともに、該操作部と連動して前記支軸を中心に回動するクランプ部と、を備えていることを特徴とするコネクタ把持治具。
【請求項２】
前記コネクタ把持部は、前記光ファイバの接続方向に対して直交する方向から前記光コネクタを把持することを特徴とする請求項１に記載のコネクタ把持治具。
【請求項３】
前記クランプ部は、先端部に前記コネクタ把持部を有する１対のクランプレバーと、該クランプレバー間に配置されたクランプばねと、前記１対のクランプレバーを相対的に離反または接近させるスライド機構と、を備え、
前記操作部および前記クランプレバーの回動に伴って、前記１対のクランプレバーが前記クランプばねと前記スライド機構により離反方向または接近方向にスライドすることを特徴とする請求項１または２に記載のコネクタ把持治具。
【請求項４】
前記スライド機構は、前記クランプレバーの外側面にクランプ側スライド機構を有するとともに、前記操作部の内側面に該クランプ側スライド機構と当接している操作側スライド機構を有していることを特徴とする請求項３に記載のコネクタ把持治具。
【請求項５】
前記クランプ部は、一方向に屈曲していることを特徴とする請求項１〜４のいずれかに記載のコネクタ把持治具。
【請求項６】
前記コネクタ把持部は、把持面上に弾性体を有していることを特徴とする請求項１〜５のいずれかに記載のコネクタ把持治具。
【発明の詳細な説明】
【技術分野】
【０００１】
本発明は、光ファイバを接続している光コネクタの接続状態を維持したまま把持するコネクタ把持治具に関する。
【背景技術】
【０００２】
図９に示すように、１対の光ファイバフェルール１０１を連結することにより１対の光ファイバ１０２を光学的に接続する光コネクタ１００が知られている（例えば、特許文献１参照）。この光コネクタ１００は、１対の光ファイバフェルール１０１に跨るように装着される金属製のクリップ１０３によって光ファイバ１０２の接続状態が維持されている。
【先行技術文献】
【特許文献】
【０００３】
【特許文献１】特開平１０−１５３７２３号公報
【発明の概要】
【発明が解決しようとする課題】
【０００４】
上記光コネクタ１００は、クリップ１０３にてコネクタ同士の結合状態を維持することにより光ファイバ１０２同士の光学的接続状態を維持している。
しかしながら、クリップ１０３を交換したり光学的特性の測定を行ったりする際に、光ファイバ１０２同士の光学的接続状態を維持したまま光コネクタ１００を把持しておく手段がないため、交換作業を簡単に行えなかった。
【０００５】
本発明の目的は、上述した事情に鑑みてなされたものであり、光ファイバ同士の接続状態を維持したまま光コネクタを簡単に把持することができるコネクタ把持治具を提供することにある。
【課題を解決するための手段】
【０００６】
上記課題を解決することができる本発明に係るコネクタ把持治具は、光ファイバを接続している光コネクタを、前記光ファイバの接続状態を維持したまま把持するコネクタ把持治具であって、
ばね付勢力に抗して支軸を中心に回動可能な操作部と、前記支軸を介して該操作部の先端部に、前記光コネクタを把持するコネクタ把持部を有するとともに、該操作部と連動して前記支軸を中心に回動するクランプ部と、を備えていることを特徴としている。
【０００７】
上記構成のコネクタ把持治具によれば、手指で操作部を持ってばね付勢力に抗して押圧力を加えることで操作部が支軸を中心に回動する。この操作部に連動して、クランプ部のコネクタ把持部が光コネクタを把持可能な開放方向に回動する。この状態で、光コネクタをコネクタ把持部にセットして、押圧力を解除することで、コネクタ把持部が閉塞方向に回動して光コネクタを横方向から把持する。これにより、光コネクタの嵌合状態を維持したまま光コネクタを簡単に把持することができ、光ファイバ同士の接続状態を維持することができる。
【０００８】
本発明に係るコネクタ把持部は、前記光ファイバの接続方向に対して直交する方向から前記光コネクタを把持することが好ましい。
【０００９】
上記構成のコネクタ把持治具によれば、コネクタ把持部が光ファイバの接続方向に対して直交する横方向から光コネクタを把持するので、光ファイバに非接触に光コネクタを確実に把持することができる。これにより、例えば、クリップを専用の装着治具を使って交換する場合、コネクタ把持治具が交換作業の邪魔になることはなく、光ファイバ同士の接続状態を維持したまま新しいクリップに交換することができる。
【００１０】
本発明に係るコネクタ把持治具は、前記クランプ部が、先端部に前記コネクタ把持部を有する１対のクランプレバーと、該クランプレバー間に配置されたクランプばねと、前記１対のクランプレバーを相対的に離反または接近させるスライド機構と、を備え、前記操作部および前記クランプレバーの回動に伴って、前記１対のクランプレバーが前記クランプばねと前記スライド機構により離反方向または接近方向にスライドすることが好ましい。
【００１１】
上記構成のコネクタ把持治具によれば、手指で操作部を持ってばね付勢力に抗して押圧力を加えることで操作部およびクランプレバーが支軸を中心に回動する。この回動に伴って、１対のコネクタ把持部が、光コネクタを装着可能な位置まで開放方向に回動するとともに、クランプばねの反発力により離反方向にスライドする。
この状態で、光コネクタをコネクタ把持部にセットして、押圧力を解除することで、１対のコネクタ把持部が、閉塞方向に回動するとともに、スライド機構により接近方向にスライドする。これにより、光コネクタを横方向から確実に把持することができ、光コネクタの嵌合状態を維持したまま光コネクタを簡単に把持することができ、光ファイバ同士の接続状態を確実に維持することができる。
【００１２】
本発明に係るコネクタ把持治具は、前記スライド機構が、前記クランプレバーの外側面にクランプ側スライド機構を有するとともに、前記操作部の内側面に該クランプ側スライド機構と当接している操作側スライド機構を有していることが好ましい。
【００１３】
上記構成のコネクタ把持治具によれば、双方にテーパ面を有するクランプ側スライド機構と操作側スライド機構が常に当接状態にある。そして、操作部に押圧力を加えた時、操作部の回動に伴って、クランプレバーがクランプばねの反発力により操作部の内側面上を離反方向にスライドする。また、操作部への押圧力を解除した時、クランプばねに抗して操作部の内側面上を接近方向にスライドする。このように簡素な構造のスライド機構によりクランプレバーを移動させることができる。
【００１４】
本発明に係るコネクタ把持治具は、前記クランプ部が、一方向に屈曲していることが好ましい。
【００１５】
上記構成のコネクタ把持治具によれば、クランプ部が一方向に屈曲しているので、コネクタ把持治具を、例えば、作業トレー上に当接させた状態で、一方の手指で操作部に押圧力を加えることができる。この状態で、他方の手指で光コネクタを持ってコネクタ把持治具に容易に把持させることができ、作業性の向上を図ることができる。
【００１６】
本発明に係るコネクタ把持治具は、前記コネクタ把持部が、把持面上に弾性体を有していることが好ましい。
【００１７】
上記構成のコネクタ把持治具によれば、コネクタ把持部の把持面上の弾性体により光コネクタに損傷を与えずに確実に光コネクタを把持することができる。
【発明の効果】
【００１８】
本発明に係るコネクタ把持治具によれば、光コネクタを簡単に把持して、光ファイバ同士の接続状態を維持することができる。
【図面の簡単な説明】
【００１９】
【図１】本発明に係るコネクタ把持治具の一実施形態を示す外観斜視図である。
【図２】図１のコネクタ把持治具の平面図である。
【図３】図１のコネクタ把持治具の正面図である。
【図４】図３のコネクタ把持治具のＡ−Ａ線断面図である。
【図５】図３のコネクタ把持治具のＢ−Ｂ線断面図である。
【図６】図４のコネクタ把持治具のＣ−Ｃ線断面図である。
【図７】図１のコネクタ把持治具のクリップ未装着光コネクタの把持状態の外観斜視図である。
【図８】図１のコネクタ把持治具のクリップ装着済光コネクタの把持状態の外観斜視図である。
【図９】従来の光コネクタの外観図である。
【発明を実施するための形態】
【００２０】
以下、本発明に係るコネクタ把持治具の一実施形態について図面を参照して説明する。
【００２１】
図１及び図２に示すように、本発明の一実施形態であるコネクタ把持治具１０は、１対の操作ばね１２，１２のばね付勢力に抗して支軸１３を中心に回動可能な１対の第１操作レバー１４および第２操作レバー１５を有する操作部１１を備えている。
【００２２】
また、コネクタ把持治具１０は、両操作レバー１４，１５と連動して支軸１３を中心に回動する１対の第１クランプレバー１９および第２クランプレバー２０を有するクランプ部１６を備えている。また、両クランプレバー１９，２０の先端部に光コネクタ１（図３参照）を把持するコネクタ把持部１７，１８を備えている。
【００２３】
第１操作レバー１４および第２操作レバー１５は、手指で摘み易いようなボリュームを有するコ字形状に形成されている。この凹部分に第１クランプレバー１９および第２クランプレバー２０が配置されている。
【００２４】
また、図２に示すように、第１操作レバー１４および第２操作レバー１５は、内面側の中央部に１対の操作ばね１２，１２を収容している。この操作ばね１２，１２により互いに離反する方向に常時付勢されている。また、第１操作レバー１４および第２操作レバー１５は、それらの基端部に支軸１３を挿通している。支軸１３は、第１クランプレバー１９および第２クランプレバー２０の間にクランプ離反ばね２５を装着している。
【００２５】
第１クランプレバー１９は、１対で対向配置されたレバー部２１，２２から成っている。また、第２クランプレバー２０は、同じく１対で対向配置されたレバー部２３，２４から成っている。
【００２６】
図３に示すように、第１クランプレバー１９のレバー部２１および第２クランプレバー２０のレバー部２３は、その先端部がスプリングピン２６，２６により第１操作レバー１４に支持されている。同様に、不図示の第１クランプレバー１９のレバー部２２および第２クランプレバー２０のレバー部２４は、その先端部がスプリングピン２６，２６により第２操作レバー１５に支持されている（図１参照）。
なお、光コネクタ１は、１対の光ファイバフェルール２，２を連結することにより１対の光ファイバ３，３を光学的に接続している。
【００２７】
図４に示すように、第１クランプレバー１９のレバー部２２および第２クランプレバー２０のレバー部２４の基端部は、支軸１３を挿通している。なお、第１クランプレバー１９のレバー部２１および第２クランプレバー２０のレバー部２３の基端部は、支軸１３を挿通していない。
【００２８】
図５及び図６に示すように、第１クランプレバー１９は、レバー部２１，２２の先端部の間にクランプばね２７が組み付けられている。第２クランプレバー２０は、レバー部２３，２４の先端部の間にクランプばね２７が組み付けられている。第１クランプレバー１９および第２クランプレバー２０は、クランプばね２７，２７により第１操作レバー１４および第２操作レバー１５と同一方向に付勢されている。
【００２９】
コネクタ把持治具１０は、第１クランプレバー１９のレバー部２１，２２と、第２クランプレバー２０のレバー部２３，２４とを相対的に離反または接近させるスライド機構２８を備えている。
【００３０】
スライド機構２８は、第１クランプレバー１９のレバー部２１，２２および第２クランプレバー２０のレバー部２３，２４の外側面に突部形状のクランプ側スライド機構２９を有するとともに、第１操作レバー１４および第２操作レバー１５の内側面にクランプ側スライド機構２９と面接触しているテーパ面状の操作側スライド機構３０を有している。
【００３１】
第１クランプレバー１９のレバー部２１，２２と第２クランプレバー２０のレバー部２３，２４は、これらの回動に伴って、クランプばね２７，２７とスライド機構２８により離反方向または接近方向にスライドして光コネクタ１を解放または把持する。
【００３２】
クランプ部１６のコネクタ把持部１７，１８は、第１操作レバー１４および第２操作レバー１５の平板方向に対して一方向に屈曲している。この屈曲により、例えば、作業トレー上に当接させた状態で、一方の手指で操作部に安定した押圧力を加えることができる。この状態で、他方の手指で光コネクタ１を持ってコネクタ把持部１７，１８に容易に把持させることができる。
【００３３】
コネクタ把持部１７，１８は、把持面上に弾性体であるクランプゴム３１，３１が貼り付けられている。このクランプゴム３１により、光コネクタ１に損傷を与えずに確実に光コネクタ１を把持することができる。なお、弾性体としては、光コネクタに損傷を与えないようにするという上記目的から、例えば、ウレタンゴム、シリコーンゴム、フッ素ゴムなどのゴムや、コネクタを形成する材料よりも軟質のプラスチックなどが好ましい。
【００３４】
次に、コネクタ把持治具１０の使用方法を光コネクタのクリップの取り替え作業を例に説明する。
【００３５】
先ず、図７に示すように、コネクタ把持冶具１０は、光コネクタ１を把持する際に、第１操作レバー１４および第２操作レバー１５を手指で摘んで押圧力を加える。これにより、第１クランプレバー１９のレバー部２１，２２および第２クランプレバー２０のレバー部２３，２４を相対的に離反させるとともに、クランプ離反ばね２５の反発力により支軸１３に沿った離反方向にスライドする。よって、コネクタ把持部１７，１８は、光コネクタ１を把持可能な状態まで移動する。
【００３６】
前記状態で、光コネクタ１をコネクタ把持部１７，１８にセットして、第１操作レバー１４および第２操作レバー１５への押圧力を解除する。これにより、コネクタ把持部１７，１８が、閉塞方向に回動するとともに、スライド機構２８により接近方向にスライドする。したがって、光コネクタ１を光ファイバ３，３の接続方向に対して直交する横方向から確実に把持することができる。よって、光コネクタ１の嵌合状態を維持したまま光コネクタ１を簡単に把持することができ、光ファイバ３，３同士の接続状態を確実に維持することができる。この状態で、クリップを取り外す。
【００３７】
次に、図８に示すように、コネクタ把持冶具１０により光コネクタ１を把持した状態で、図中手前側から不図示のクリップ装着工具により新しいクリップ４を装着する。そして、クリップ４の装着完了後、再び第１操作レバー１４および第２操作レバー１５を摘んで押圧力を加える。これにより、第１クランプレバー１９のレバー部２１，２２および第２クランプレバー２０のレバー部２３，２４が離反方向に移動して、光コネクタ１をコネクタ把持部１７，１８から取り外すことで、クリップの取り替え作業が終了する。
【００３８】
以上説明したように、本実施形態のコネクタ把持治具１０によれば、ばね付勢力に抗して支軸１３を中心に回動可能な操作部１１と、支軸１３を介して操作部１１の先端部に、光コネクタ１を把持するコネクタ把持部１７，１８を有するとともに、操作部１１と連動して支軸１３を中心に回動するクランプ部１６を備えている。
したがって、操作部１１がばね付勢力に抗して支軸１３を中心に回動し、操作部１１に連動して支軸１３を中心にクランプ部１６が回動する。これにより、支軸１３を介して操作部１１の先端部に有するコネクタ把持部１７，１８が、光ファイバ３の接続状態を維持したまま光コネクタ１を把持することができる。
【００３９】
本実施形態のコネクタ把持治具１０によれば、コネクタ把持部１７，１８が光ファイバ３の接続方向に対して直交する方向から光コネクタ１を把持するので、光ファイバ３に非接触に光コネクタ１を確実に把持することができる。
【００４０】
本実施形態のコネクタ把持治具１０によれば、クランプ部１６が、先端部にコネクタ把持部１７，１８を有する１対のクランプレバー１９，２０と、該クランプレバー間に配置されたクランプばね２５と、クランプレバー１９，２０を相対的に離反または接近させるスライド機構２８とを備えている。これにより、操作部１１およびクランプレバー１９，２０の回動に伴って、クランプレバー１９，２０がクランプばね２５とスライド機構２８により離反方向または接近方向にスライドして、光コネクタ１を簡単に解放または把持することができる。
【００４１】
本実施形態のコネクタ把持治具１０によれば、スライド機構２８が、クランプレバー１９，２０の外側面にクランプ側スライド機構２９を有するとともに、操作部１１の内側面にクランプ側スライド機構２９と当接している操作側スライド機構３０を有している。これにより、簡素な構造のスライド機構２８によりクランプレバー１９，２０を確実に移動させることができる。
【００４２】
本実施形態のコネクタ把持治具１０によれば、クランプ部１６が一方向に屈曲しているので、光コネクタ１を把持し易く、光コネクタ１の把持状態を確認し易いので、作業性の向上を図ることができる。
【００４３】
本実施形態のコネクタ把持治具１０によれば、コネクタ把持部１７，１８の把持面上にクランプゴム３１を有しているので、光コネクタ１に損傷を与えないように光コネクタ１を確実に把持することができる。
【００４４】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００４５】
１  光コネクタ
３  光ファイバ
１０  コネクタ把持冶具
１１  操作部
１３  支軸
１６  クランプ部
１７、１８  コネクタ把持部
１９  第１クランプレバー
２０  第２クランプレバー
２５  クランプ離反ばね
２７  クランプばね
２８  スライド機構
２９  クランプ側スライド機構
３０  操作側スライド機構
３１  クランプゴム（弾性体）
【図１】
2011064955.tif 000003
【図２】
2011064955.tif 000004
【図３】
2011064955.tif 000005
【図４】
2011064955.tif 000006
【図５】
2011064955.tif 000007
【図６】
2011064955.tif 000008
【図７】
2011064955.tif 000009
【図８】
2011064955.tif 000010
【図９】
2011064955.tif 000011